【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
ネットワーキング装置を動作させる方法であって、
ネットワーキングデバイス（２０１〜２０４）によってファイバーチャネル通信を生成することであって、前記ファイバーチャネル通信は、ファイバーチャネルファブリックサービス（１０９）向けの通信およびファイバーチャネルアドレスにアドレス指定された通信を含む、ことと、
前記ネットワーキングデバイス（２０１〜２０４）に前記ファイバーチャネルファブリックサービス（１０９）をエミュレートすることであって、前記エミュレートすることは、前記ファイバーチャネルファブリックサービス（１０９）向けの通信をイーサネット（登録商標）サービス（２１１）向けの通信に変換することを含む、ことと、
前記ファイバーチャネルアドレスにアドレス指定された通信を１つ以上のイーサネット（登録商標）フレームにカプセル化することと、
前記イーサネット（登録商標）サービス向けの通信および前記１つ以上のイーサネット（登録商標）フレーム向けの通信をイーサネット（登録商標）ネットワーク（２００）を介して送信することと
を含む、方法。
【請求項２】
前記エミュレートすることは、
前記変換された通信のうちの１つ以上に応答して、または、前記変換された通信のうちの１つ以上の一部分として、前記ネットワーキングデバイスと前記イーサネット（登録商標）サービスとの間で、イーサネット（登録商標）特有情報を通信すること
をさらに含む、請求項１に記載の方法。
【請求項３】
前記通信することは、
前記ネットワーキングデバイスにより、前記変換された通信のうちの１つ以上に応答して、前記イーサネット（登録商標）サービスから前記イーサネット（登録商標）特有情報を受信すること
を含み、
前記１つ以上のイーサネット（登録商標）フレームは、前記イーサネット（登録商標）特有情報に基づいて、アドレス指定される、請求項２に記載の方法。
【請求項４】
前記通信することは、
前記変換された通信を前記イーサネット（登録商標）サービスに送信することであって、前記変換された通信のうちの１つは、前記ネットワーキングデバイスに関連付けられたイーサネット（登録商標）アドレスを保存するための前記イーサネット（登録商標）サービスに対するコマンドを含む、こと
を含み、前記方法は、
前記ネットワーキングデバイスにより、前記イーサネット（登録商標）サービスから前記保存されたイーサネット（登録商標）アドレスを受信した別のネットワーキングデバイスから、イーサネット（登録商標）フレームを受信することであって、前記受信されたイーサネット（登録商標）フレームは、前記保存されたイーサネット（登録商標）アドレスにアドレス指定される、こと
をさらに含む、請求項２に記載の方法。
【請求項５】
前記イーサネット（登録商標）ネットワークからイーサネット（登録商標）通信を受信することであって、前記受信されたイーサネット（登録商標）通信は、イーサネット（登録商標）サービスから受信された通信を含む、ことと、
前記受信されたイーサネット（登録商標）通信を着信ファイバーチャネル通信に変換することであって、前記受信されたイーサネット（登録商標）通信の変換は、前記イーサネット（登録商標）サービスから受信された通信をファイバーチャネルファブリックサービスに関連付けられた通信に変換することを含む、ことと、
前記着信ファイバーチャネル通信を前記ネットワーキングデバイスに送信することと
をさらに含む、請求項１に記載の方法。
【請求項６】
ファイバーチャネルファブリックサービス向けの前記ファイバーチャネル通信のうちの少なくとも１つは、ファイバーチャネルネームサーバまたは別のファイバーチャネルファブリックサービスにアドレス指定され、前記エミュレートすることは、前記ファイバーチャネル通信のうちの少なくとも１つを、前記イーサネット（登録商標）ネットワーク内のインターネットストレージネームサービス（Ｉｎｔｅｒｎｅｔ  Ｓｔｏｒａｇｅ  Ｎａｍｅ  Ｓｅｒｖｉｃｅ：ｉＳＮＳ）サーバ用にフォーマットされ、かつ、前記サーバにアドレス指定された１つ以上の通信に変換することを含む、請求項５に記載の方法。
【請求項７】
前記ファイバーチャネル通信は、ファイバーチャネルネームサーバに登録するための通信を含み、前記エミュレートすることは、前記ｉＳＮＳサーバに登録するための通信を生成することを含む、請求項６に記載の方法。
【請求項８】
前記生成された前記ｉＳＮＳサーバに登録するための通信は、前記ネットワーキングデバイスに関連付けられたファイバーチャネルアドレスおよびイーサネット（登録商標）アドレスの両方を、前記ｉＳＮＳサーバにおいて保存するためのコマンドを含む、請求項７に記載の方法。
【請求項９】
前記ファイバーチャネル通信は、ネットワークに接続される１つ以上のデバイスのファイバーチャネルアドレスを要求する、ファイバーチャネルファブリックサービスからの通信を含み、前記エミュレートすることは、前記１つ以上のデバイスのファイバーチャネルアドレスおよびイーサネット（登録商標）アドレスを要求する、前記ｉＳＮＳサーバからの通信を生成することを含み、
前記方法は、
前記１つ以上のデバイスのファイバーチャネルアドレスおよびイーサネット（登録商標）アドレスを前記ｉＳＮＳサーバから受信することと、
前記受信されたファイバーチャネルアドレスおよびイーサネット（登録商標）アドレスをテーブルに保存することと、
前記受信されたファイバーチャネルアドレスのうちの１つ以上を前記ネットワーキングデバイスに送信することと
をさらに含む、請求項６に記載の方法。
【請求項１０】
前記ファイバーチャネルアドレスにアドレス指定された通信は、前記１つ以上のデバイスのうちの第１のデバイスに関連付けられており、
前記方法は、
前記ファイバーチャネルアドレスに基づいて、前記テーブルから前記第１のデバイスのイーサネット（登録商標）アドレスを取得することと、
前記１つ以上のイーサネット（登録商標）フレームを前記イーサネット（登録商標）アドレスにアドレス指定することと
をさらに含む、請求項９に記載の方法。
【請求項１１】
ネットワーキング装置を動作させる方法であって、
ホストバスアダプタ（Ｈｏｓｔ  Ｂｕｓ  Ａｄａｐｔｅｒ：ＨＢＡ）機能（３０１、３１０）およびファイバーチャネルオーバーイーサネット（登録商標）（Ｆｉｂｒｅ  Ｃｈａｎｎｅｌ  ｏｖｅｒ  Ｅｔｈｅｒｎｅｔ（登録商標）：ＦＣｏＥ）機能（３０２、３０９）を有するネットワーキングデバイス（２０１〜２０４）を提供することと、
前記ＦＣｏＥ機能（３０２、３０９）によって、イーサネット（登録商標）ネットワーク（２００）と通信することと、
前記ＨＢＡ機能（３０１、３１０）のために、前記ＦＣｏＥ機能（３０２、３０９）によってファブリックトポロジのファイバーチャネルネットワーク（１００）を仮想化することであって、前記仮想ファイバーチャネルネットワークは、前記イーサネット（登録商標）ネットワーク（２００）に基づいており、ファイバーチャネルネットワーク（１００）の前記仮想化は、
ファイバーチャネルファブリックアドレスをイーサネット（登録商標）アドレスにマッピングすることと、
イーサネット（登録商標）フレーム上で、ファイバーチャネルフレームをトンネリングすることと、
前記ＨＢＡ機能（３０１、３１０）に１つ以上のファイバーチャネルファブリックサービス（１０９）をエミュレートすることにおいて、１つ以上のイーサネット（登録商標）サービス（２１１）を用いることと
を含む、ことと
を含む、方法。
【請求項１２】
前記エミュレートすることは、
前記１つ以上のファイバーチャネルファブリックサービス向けの通信を前記１つ以上のイーサネット（登録商標）サービス向けの通信に変換することと、
前記変換された通信のうちの１つ以上に応答して、または、前記変換された通信のうちの１つ以上の一部分として、前記ネットワーキングデバイスと前記１つ以上のイーサネット（登録商標）サービスとの間で、前記イーサネット（登録商標）アドレスを通信することと
を含む、請求項１１に記載の方法。
【請求項１３】
前記通信することは、
前記ネットワーキングデバイスにより、前記変換された通信のうちの１つ以上に応答して、前記１つ以上のイーサネット（登録商標）サービスから前記イーサネット（登録商標）アドレスを受信すること
を含み、
前記イーサネット（登録商標）フレームは、前記受信されたイーサネット（登録商標）アドレスに基づいてアドレス指定される、請求項１２に記載の方法。
【請求項１４】
前記通信することは、
前記１つ以上のイーサネット（登録商標）サービスに前記変換された通信を送信することであって、前記変換された通信のうちの１つは、前記ネットワーキングデバイスに関連付けられたイーサネット（登録商標）アドレスを保存するための前記１つ以上のイーサネット（登録商標）サービスに対するコマンドを含む、こと
を含み、
前記仮想化することは、
前記ネットワーキングデバイスにより、前記１つ以上のイーサネット（登録商標）サービスから前記保存されたイーサネット（登録商標）アドレスを受信した別のネットワーキングデバイスから、イーサネット（登録商標）フレームを受信することであって、前記受信されたイーサネット（登録商標）フレームは、前記保存されたイーサネット（登録商標）アドレスにアドレス指定される、こと
をさらに含む、請求項１２に記載の方法。
【請求項１５】
前記１つ以上のイーサネット（登録商標）サービスは、ｉＳＮＳサーバを含み、前記方法は、前記ｉＳＮＳサーバを利用することにより、前記ＦＣｏＥ機能によって前記ＨＢＡ機能に対してファイバーチャネルネームサーバを仮想化することをさらに含む、請求項１１に記載の方法。
【請求項１６】
ネットワーキング装置を動作させるためのコンピュータ実行可能な命令を含むコンピュータ読み取り可能な媒体であって、前記コンピュータ実行可能な命令は、１つ以上のプロセッサによって実行されたときに、
ネットワーキングデバイス（２０１〜２０４）によってファイバーチャネル通信を生成することであって、前記ファイバーチャネル通信は、ファイバーチャネルファブリックサービス（１０９）向けの通信およびファイバーチャネルアドレスにアドレス指定された通信を含む、ことと、
前記ネットワーキングデバイス（２０１〜２０４）に前記ファイバーチャネルファブリックサービス（１０９）をエミュレートすることであって、前記エミュレートすることは、前記ファイバーチャネルファブリックサービス（１０９）向けの通信をイーサネット（登録商標）サービス（２１１）向けの通信に変換することを含む、ことと、
前記ファイバーチャネルアドレスにアドレス指定された通信を１つ以上のイーサネット（登録商標）フレームにカプセル化することと、
前記イーサネット（登録商標）サービス向けの通信および前記１つ以上のイーサネット（登録商標）フレーム向けの通信をイーサネット（登録商標）ネットワーク（２００）を介して送信することと
を含む方法を前記ネットワーキング装置に実行させるように構成されている、コンピュータ読み取り可能な媒体。
【請求項１７】
前記エミュレートすることは、
前記変換された通信のうちの１つ以上に応答して、または、前記変換された通信のうちの１つ以上の一部分として、前記ネットワーキングデバイスと前記イーサネット（登録商標）サービスとの間で、イーサネット（登録商標）特有情報を通信すること
をさらに含む、請求項１６に記載のコンピュータ読み取り可能な媒体。
【請求項１８】
前記通信することは、
前記ネットワーキングデバイスにより、前記変換された通信のうちの１つ以上に応答して、前記イーサネット（登録商標）サービスから前記イーサネット（登録商標）特有情報を受信すること
を含み、
前記１つ以上のイーサネット（登録商標）フレームは、前記イーサネット（登録商標）特有情報に基づいて、アドレス指定される、請求項１７に記載のコンピュータ読み取り可能な媒体。
【請求項１９】
前記通信することは、
前記変換された通信を前記イーサネット（登録商標）サービスに送信することであって、前記変換された通信のうちの１つは、前記ネットワーキングデバイスに関連付けられたイーサネット（登録商標）アドレスを保存するための前記イーサネット（登録商標）サービスに対するコマンドを含む、こと
を含み、前記方法は、
前記ネットワーキングデバイスにより、前記イーサネット（登録商標）サービスから前記保存されたイーサネット（登録商標）アドレスを受信した別のネットワーキングデバイスから、イーサネット（登録商標）フレームを受信することであって、前記受信されたイーサネット（登録商標）フレームは、前記保存されたイーサネット（登録商標）アドレスにアドレス指定される、こと
をさらに含む、請求項１７に記載のコンピュータ読み取り可能な媒体。
【請求項２０】
前記方法は、
前記イーサネット（登録商標）ネットワークからイーサネット（登録商標）通信を受信することであって、前記受信されたイーサネット（登録商標）通信は、イーサネット（登録商標）サービスから受信された通信を含む、ことと、
前記受信されたイーサネット（登録商標）通信を着信ファイバーチャネル通信に変換することであって、前記受信されたイーサネット（登録商標）通信の変換は、前記イーサネット（登録商標）サービスから受信された通信をファイバーチャネルファブリックサービスに関連付けられた通信に変換することを含む、ことと、
前記着信ファイバーチャネル通信を前記ネットワーキングデバイスに送信することと
をさらに含む、請求項１６に記載のコンピュータ読み取り可能な媒体。
【請求項２１】
前記ファイバーチャネル通信のうちの少なくとも１つは、ファイバーチャネルネームサーバまたは別のファイバーチャネルファブリックサービスにアドレス指定され、前記エミュレートすることは、前記ファイバーチャネル通信のうちの少なくとも１つを、前記イーサネット（登録商標）ネットワーク内のｉＳＮＳサーバ用にフォーマットされ、かつ、前記サーバにアドレス指定された１つ以上の通信に変換することを含む、請求項２０に記載のコンピュータ読み取り可能な媒体。
【請求項２２】
前記ファイバーチャネル通信は、ファイバーチャネルネームサーバに登録するための通信を含み、前記エミュレートすることは、前記ｉＳＮＳサーバに登録するための通信を生成することを含む、請求項２１に記載のコンピュータ読み取り可能な媒体。
【請求項２３】
前記生成された前記ｉＳＮＳサーバに登録するための通信は、前記ネットワーキングデバイスに関連付けられたファイバーチャネルアドレスおよびイーサネット（登録商標）アドレスの両方を、前記ｉＳＮＳサーバにおいて保存するためのコマンドを含む、請求項２２に記載のコンピュータ読み取り可能な媒体。
【請求項２４】
前記ファイバーチャネル通信は、ネットワークに接続される１つ以上のデバイスのファイバーチャネルアドレスを要求する、ファイバーチャネルネームサーバからの通信を含み、前記エミュレートすることは、前記１つ以上のデバイスのファイバーチャネルアドレスおよびイーサネット（登録商標）アドレスを要求する、前記ｉＳＮＳサーバからの通信を生成することを含み、
前記方法は、
前記１つ以上のデバイスのファイバーチャネルアドレスおよびイーサネット（登録商標）アドレスを前記ｉＳＮＳサーバから受信することと、
前記受信されたファイバーチャネルアドレスおよびイーサネット（登録商標）アドレスをテーブルに保存することと、
前記受信されたファイバーチャネルアドレスのうちの１つ以上を前記ネットワーキングデバイスに送信することと
をさらに含む、請求項２１に記載のコンピュータ読み取り可能な媒体。
【請求項２５】
前記ファイバーチャネルアドレスにアドレス指定された通信は、前記１つ以上のデバイスのうちの第１のデバイスに関連付けられており、
前記方法は、
前記ファイバーチャネルアドレスに基づいて、前記テーブルから前記第１のデバイスのイーサネット（登録商標）アドレスを取得することと、
前記１つ以上のイーサネット（登録商標）フレームを前記イーサネット（登録商標）アドレスにアドレス指定することと
をさらに含む、請求項２４に記載のコンピュータ読み取り可能な媒体。
【請求項２６】
ネットワーキングデバイス（２０１〜２０４）であって、
ファイバーチャネルネットワーク（１００）と通信するように構成されたホストバスアダプタ（Ｈｏｓｔ  Ｂｕｓ  Ａｄａｐｔｅｒ：ＨＢＡ）機能（３０１、３１０）と、
イーサネット（登録商標）ネットワーク（２００）と通信するように構成され、かつ、前記ＨＢＡ機能（３０１、３１０）に仮想ファイバーチャネルネットワークを提供するように構成されたファイバーチャネルオーバーイーサネット（登録商標）（Ｆｉｂｒｅ  Ｃｈａｎｎｅｌ  ｏｖｅｒ  Ｅｔｈｅｒｎｅｔ（登録商標）：ＦＣｏＥ）機能（３０２、３０９）と
を含み、
前記仮想ファイバーチャネルネットワークは、１つ以上のイーサネット（登録商標）サーバ（２１１）を含むイーサネット（登録商標）ネットワーク（２００）に基づいており、
前記仮想ファイバーチャネルネットワークを前記ＨＢＡ機能（３０１、３１０）に提供することは、
ファイバーチャネルファブリックアドレスをイーサネット（登録商標）アドレスにマッピングすることと、
イーサネット（登録商標）フレーム上で、ファイバーチャネルフレームをトンネリングすることと、
前記ＨＢＡ機能（３０１、３１０）に１つ以上のファイバーチャネルファブリックサービス（１０９）をエミュレートすることにおいて、１つ以上のイーサネット（登録商標）サーバ（２１１）を用いることと
を含む、ネットワーキングデバイス。
【請求項２７】
前記エミュレートすることは、
前記１つ以上のファイバーチャネルファブリックサービス向けの通信を前記１つ以上のイーサネット（登録商標）サーバ向けの通信に変換することと、
前記変換された通信のうちの１つ以上に応答して、または、前記変換された通信のうちの１つ以上の一部分として、前記ネットワーキングデバイスと前記１つ以上のイーサネット（登録商標）サーバとの間で、前記イーサネット（登録商標）アドレスを通信することと
を含む、請求項２６に記載のネットワーキングデバイス。
【請求項２８】
前記通信することは、
前記ネットワーキングデバイスにより、前記変換された通信のうちの１つ以上に応答して、前記１つ以上のイーサネット（登録商標）サーバから前記イーサネット（登録商標）アドレスを受信すること
を含み、
前記イーサネット（登録商標）フレームは、前記受信されたイーサネット（登録商標）アドレスに基づいてアドレス指定される、請求項２７に記載のネットワーキングデバイス。
【請求項２９】
前記通信することは、
前記１つ以上のイーサネット（登録商標）サーバに前記変換された通信を送信することであって、前記変換された通信のうちの１つは、前記ネットワーキングデバイスに関連付けられたイーサネット（登録商標）アドレスを保存するための前記１つ以上のイーサネット（登録商標）サーバに対するコマンドを含む、こと
を含み、
前記提供することは、
前記ネットワーキングデバイスにより、前記１つ以上のイーサネット（登録商標）サーバから前記保存されたイーサネット（登録商標）アドレスを受信した別のネットワーキングデバイスから、イーサネット（登録商標）フレームを受信することであって、前記受信されたイーサネット（登録商標）フレームは、前記保存されたイーサネット（登録商標）アドレスにアドレス指定される、こと
をさらに含む、請求項２７に記載のネットワーキングデバイス。
【請求項３０】
前記ＨＢＡ機能は、ファイバーチャネルネームサーバまたは別のファイバーチャネルファブリックサービスと通信するようにさらに構成されており、
前記ＦＣｏＥ機能は、前記イーサネット（登録商標）ネットワーク内のｉＳＮＳサーバを利用することにより、前記ＨＢＡ機能に対して仮想ファイバーチャネルネームサーバおよびその他のファイバーチャネルファブリックサービスを提供するようにさらに構成されている、請求項２６に記載のネットワーキングデバイス。
【請求項３１】
前記ＦＣｏＥ機能は、ファイバーチャネルネームサーバおよびその他のファイバーチャネルファブリックサービスをベースとした通信をｉＳＮＳをベースとした通信に変換し、かつ、ｉＳＮＳをベースとした通信をファイバーチャネルネームサーバおよびその他のファイバーチャネルファブリックサービスをベースとした通信に変換するためのサービスマッパーを含む、請求項３０に記載のネットワーキングデバイス。
【請求項３２】
前記サービスマッパーは、前記ネットワーキングデバイスのファイバーチャネルアドレスを構築し、前記ｉＳＮＳサーバに前記ファイバーチャネルアドレスを登録するように構成されている、請求項３１に記載のネットワーキングデバイス。
【請求項３３】
前記イーサネット（登録商標）ネットワークは、コンバージドエンハンスドイーサネット（登録商標）（Ｃｏｎｖｅｒｇｅｄ  Ｅｎｈａｎｃｅｄ  Ｅｔｈｅｒｎｅｔ（登録商標）：ＣＥＥ）ネットワークであり、前記ＦＣｏＥ機能は、通信を前記ＣＥＥネットワーク用にフォーマットするためのＩＰスタック／ＣＥＥインターフェースを含む、請求項３０に記載のネットワーキングデバイス。
【請求項３４】
前記ＦＣｏＥ機能は、ＦＣｏＥデータ転送要素をさらに含み、前記ＦＣｏＥデータ転送要素は、前記ＨＢＡ機能と前記ｉＳＮＳサーバ以外の前記イーサネット（登録商標）ネットワーク内のデバイスとの間の通信を処理するために利用される、請求項３０に記載のネットワーキングデバイス。
【請求項３５】
前記ＦＣｏＥデータ転送要素は、複数対のアドレスのテーブルを含み、各対のアドレスは、前記イーサネット（登録商標）ネットワークに接続されたデバイスのイーサネット（登録商標）アドレスと、前記デバイスに関連付けられたファイバーチャネルアドレス（Ｎ＿Ｐｏｒｔ＿ＩＤ）とを含む、請求項３４に記載のネットワーキングデバイス。
【請求項３６】
前記ＦＣｏＥデータ転送要素は、前記ｉＳＮＳサーバから受信される通信から、複数対のアドレスを取得することによって、前記テーブルにデータ投入するように構成されている、請求項３５に記載のネットワーキングデバイス。
【請求項３７】
請求項２６に記載のネットワーキングデバイスを含む、ＦＣｏＥＡ。
【請求項３８】
請求項２６に記載のネットワーキングデバイスを含む、コンピュータ。
【請求項３９】
請求項２６に記載のネットワーキングデバイスを含む、ネットワーク接続されたストレージデバイス。
【請求項４０】
１つ以上のコンピューティングデバイスを含む、ストレージエリアネットワークであって、前記１つ以上のコンピューティングデバイスのうちの少なくとも１つは、請求項２６に記載のネットワーキングデバイスを含む、ストレージエリアネットワーク。
【請求項４１】
イーサネット（登録商標）ネットワークを介するファイバーチャネルをベースとした通信を可能にするための方法であって、
ファイバーチャネルネットワークを介して通信するように構成されたネットワーキングデバイスにより、１つ以上のファイバーチャネルファブリックコマンドを発行することと、
前記ネットワーキングデバイスにファイバーチャネルファブリックサービスをエミュレートすることであって、前記エミュレートすることは、前記１つ以上のファイバーチャネルファブリックコマンドを、ｉＳＮＳサーバを含むイーサネット（登録商標）ネットワークを介する伝送のためにフォーマットされた１つ以上のｉＳＮＳサーバコマンドに変換することを含む、ことと、
前記１つ以上の変換されたコマンドを前記ｉＳＮＳサーバに送信することと、
ファブリックチャネルアドレスにアドレス指定されたファイバーチャネル通信を発行することと、
前記ファイバーチャネルアドレスにアドレス指定された前記ファイバーチャネル通信を１つ以上のイーサネット（登録商標）フレームにカプセル化することと、
前記１つ以上のイーサネット（登録商標）フレームを送信することと
を含む、方法。
【請求項４２】
前記エミュレートすることは、
前記１つ以上の変換されたコマンドに応答して、または、前記１つ以上の変換されたコマンドの一部分として、前記ネットワーキングデバイスと前記ｉＳＮＳサーバとの間で、イーサネット（登録商標）特有情報を通信すること
をさらに含む、請求項４１に記載の方法。
【請求項４３】
前記通信することは、
前記ネットワーキングデバイスにより、前記１つ以上の変換されたコマンドに応答して、前記ｉＳＮＳサーバから前記イーサネット（登録商標）特有情報を受信すること
を含み、
前記１つ以上のイーサネット（登録商標）フレームは、前記イーサネット（登録商標）特有情報に基づいてアドレス指定される、請求項４２に記載の方法。
【請求項４４】
前記通信することは、
前記１つ以上の変換されたコマンドを前記ｉＳＮＳサーバに送信することであって、前記１つ以上の変換されたコマンドは、前記ネットワーキングデバイスに関連付けられたイーサネット（登録商標）アドレスを保存するための前記ｉＳＮＳサーバに対するコマンドを含む、こと
を含み、
前記方法は、
前記ネットワーキングデバイスにより、前記ｉＳＮＳサーバから前記保存されたイーサネット（登録商標）アドレスを受信した別のネットワーキングデバイスから、イーサネット（登録商標）フレームを受信することであって、前記受信されたイーサネット（登録商標）フレームは、前記保存されたイーサネット（登録商標）アドレスにアドレス指定される、こと
をさらに含む、請求項４２に記載の方法。
【請求項４５】
前記ｉＳＮＳサーバから前記１つ以上のｉＳＮＳサーバコマンドに対する応答を受信することであって、前記応答は、前記イーサネット（登録商標）ネットワークに接続された別のデバイスを識別する、ことと、
前記応答をファイバーチャネルファブリックフォーマットの応答に変換することと、
前記ファイバーチャネルファブリックフォーマットの応答を前記ネットワーキングデバイスに送信することと
をさらに含む、請求項４１に記載の方法。
【請求項４６】
前記ｉＳＮＳサーバから受信された応答は、前記別のデバイスに関連付けられたイーサネット（登録商標）アドレスと、前記別のデバイスに関連付けられたファイバーチャネルアドレスとを含み、
前記変換された応答は、前記別のデバイスに関連付けられたファイバーチャネルアドレスを含み、
前記方法は、
前記別のデバイスのイーサネット（登録商標）アドレスおよびファイバーチャネルアドレスを保存すること
をさらに含む、請求項４５に記載の方法。
【請求項４７】
前記発行されたファイバーチャネル通信は、前記別のデバイスの前記ファイバーチャネルアドレスにアドレス指定され、
前記方法は、
前記別のデバイスの前記保存されたイーサネット（登録商標）アドレスにアクセスすること
をさらに含み、
前記１つ以上のイーサネット（登録商標）フレームは、前記別のデバイスの前記保存されたイーサネット（登録商標）アドレスにアドレス指定される、請求項４６に記載の方法。